【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
プロセス制御グラフィックをプロセス制御アルゴリズム情報に自動的にリンクする方法であって、
プロセス制御アルゴリズム情報を含む第１のプロセス制御画像イメージを表示することと、
プロセス制御グラフィックを含むべく第２のプロセス制御画像イメージを前記第１のプロセス制御画像イメージに隣接して表示することと、
前記第１および第２のプロセス制御画像イメージに関連するユーザ入力に応答して前記第２のプロセス制御画像イメージにおけるグラフィックにプロセス制御アルゴリズム情報の少なくともいくつかを自動的にリンクすることと、
を含む方法。
【請求項２】
前記自動的にリンクすることは、プロセス制御アルゴリズム情報の少なくともいくつかを選択してグラフィックにドラッグし、プロセス制御アルゴリズム情報の少なくともいくつかのためのパスをグラフィックに自動的にリンクすることを含むことを特徴とする、請求項１に記載の方法。
【請求項３】
前記プロセス制御アルゴリズム情報の少なくともいくつかのための複数のパスを一つ又は複数のグラフィックに自動的にリンクすることを更に含む請求項２に記載の方法。
【請求項４】
グラフィックにリンクされた前記プロセス制御アルゴリズム情報の少なくともいくつかを表わす情報を表示することを更に含む、請求項３に記載の方法。
【請求項５】
前記少なくとも一つのプロセス制御パラメータの各々が個々に選択可能であることを特徴とする、請求項４に記載の方法。
【請求項６】
前記グラフィックには、前記プロセス制御アルゴリズム情報の少なくともいくつかをグラフィックに自動的にリンクする前に定義済みの性状が含まれることを特徴とする、請求項５に記載の方法。
【請求項７】
前記プロセス制御アルゴリズム情報の少なくともいくつかをグラフィックの性状に自動的にリンクすることを更に含む、請求項６に記載の方法。
【請求項８】
前記グラフィックの性状がデータソース・フィールドを更に含むことを特徴とする、請求項７に記載の方法。
【請求項９】
前記プロセス制御アルゴリズム情報が一つ又は複数のプロセス制御パラメータを含むことを特徴とする、請求項８に記載の方法。
【請求項１０】
前記複数のプロセス制御パラメータを選択して前記第２のプロセス制御画像イメージにドラッグすることを更に含む、請求項９に記載の方法。
【請求項１１】
前記グラフィックには、数値フィールド、表示要素、グラフ、図表、データまたはデータ描写表現のうち少なくとも一つが含まれることを特徴とする、請求項１０に記載の方法。
【請求項１２】
前記自動的にリンクすることには、
前記プロセス制御情報の少なくともいくつかを選択してプロセス制御グラフィックの無い前記第２のプロセス制御画像イメージの領域にドラッグすることと、
前記プロセス制御アルゴリズム情報のデータ描写表現の少なくとも一つのリストをプロンプト画面としてユーザに表示することと、
ユーザ選択に応答して、前記プロセス制御アルゴリズム情報の少なくともいくつかのためのパスを、リストからの少なくとも一つのデータ描写表現に自動的にリンクすることと、
が含まれることを特徴とする、請求項１１に記載の方法。
【請求項１３】
前記グラフィックに自動的にリンクされたプロセス制御アルゴリズム情報の少なくともいくつかを表わすグラフィックを表示することを更に含む、請求項１２に記載の方法。
【請求項１４】
前記プロセス制御アルゴリズム情報の少なくともいくつかをグラフィックに自動的にリンクする前に前記リストを表示することを更に含む請求項１３に記載の方法。
【請求項１５】
プロセス制御グラフィックの無い第２のプロセス制御画像イメージの領域にドラッグされた前記プロセス制御アルゴリズム情報の少なくともいくつかに基づいて、前記リストをフィルタ処理することを更に含む請求項１４に記載の方法。
【請求項１６】
プロセス制御ハードウェア情報を含む前記第１のプロセス制御画像イメージを表示することと、
前記第１および第２のプロセス制御画像イメージに関連するユーザ入力に応答して、前記プロセス制御ハードウェア情報の少なくともいくつかを、前記第２のプロセス制御画像イメージにおけるグラフィックに自動的にリンクすることと、
を更に含む、請求項１５に記載の方法。
【請求項１７】
前記自動的にリンクすることは、
少なくとも一つのプロセス制御グラフィックを選択して前記第１のプロセス制御画像イメージにドラッグすることと、
前記プロセス制御アルゴリズム情報のプロセス制御関数の少なくとも一つのリストをプロンプト画面としてユーザに表示することと、
プロセス制御関数を作成することと、
前記リストからのユーザ選択に応答してグラフィックから少なくとも一つのプロセス制御関数へのパスを自動的にリンクすることと、
が含まれることを特徴とする、請求項１６に記載の方法。
【請求項１８】
前記プロセス制御アルゴリズム情報の少なくともいくつかに自動的にリンクされたプロセス制御グラフィックを表わす少なくとも一つのプロセス制御関数を表示することを更に含む、請求項１７に記載の方法。
【請求項１９】
前記グラフィックのためのパスを少なくとも一つのプロセス制御関数に自動的にリンクする前に前記リストを表示することを更に含む、請求項１８に記載の方法。
【請求項２０】
前記第１のプロセス制御画像イメージにドラッグされた少なくとも一つのプロセス制御グラフィックに基づいて、前記リストをフィルタ処理することを更に含む、請求項１９に記載の方法。
【請求項２１】
プロセス制御グラフィックをプロセス制御アルゴリズム情報に自動的にリンクするシステムであって、
前記プロセス制御アルゴリズム情報を含む第１のプロセス制御画像イメージを含んでいる画面表示と、
前記第１のプロセス制御画像イメージに隣接してプロセス制御グラフィックを含むように第２のプロセス制御画像イメージを含んでいる画面表示と、
前記第１および第２のプロセス制御画像イメージに関連するユーザ入力に基づいた、プロセス制御アルゴリズム情報の少なくともいくつかから前記第２のプロセス制御画像イメージにおけるグラフィックへのパス・リンクと、
を含むシステム。
【請求項２２】
前記プロセス制御アルゴリズム情報の少なくともいくつかを選択してグラフィックにドラッグすることによりパス・リンクが自動的に作成されることを特徴とする、請求項２１に記載のシステム。
【請求項２３】
前記プロセス制御アルゴリズム情報の少なくともいくつかを一つ又は複数のグラフィックにリンクする複数のパスを更に含む、請求項２２に記載のシステム。
【請求項２４】
前記第２のプロセス制御画像イメージが、前記グラフィックにリンクされたプロセス制御アルゴリズム情報の少なくともいくつかを表わす情報を表示することを特徴とする、請求項２３に記載のシステム。
【請求項２５】
前記プロセス制御アルゴリズム情報が、少なくとも一つのプロセス制御パラメータを含んでいる少なくとも一つのプロセス制御関数を含むことを特徴とする、請求項２４に記載のシステム。
【請求項２６】
前記プロセス制御アルゴリズム情報が、複数のプロセス制御パラメータを含んでいる少なくとも一つのプロセス制御機能ブロックを含むことを特徴とする、請求項２５に記載のシステム。
【請求項２７】
前記複数のプロセス制御パラメータの各々が個々に選択可能であることを特徴とする、請求項２６に記載のシステム。
【請求項２８】
前記グラフィックには、プロセス制御アルゴリズム情報の少なくともいくつかをグラフィックに自動的にリンクする前に定義済みの性状が含まれることを特徴とする、請求項２７に記載のシステム。
【請求項２９】
前記グラフィックには、数値フィールド、表示要素、グラフ、図表、データまたはデータ描写表現の少なくとも一つが含まれることを特徴とする、請求項２８に記載のシステム。
【請求項３０】
前記第２のプロセス制御画像イメージが初期段階においてプロセス制御グラフィック無しの状態であることを特徴とする、請求項２９に記載のシステム。
【請求項３１】
前記プロセス制御アルゴリズム情報のデータ描写表現の少なくとも一つのリストを更に含む、請求項３０に記載のシステム。
【請求項３２】
前記プロセス制御アルゴリズム情報の少なくともいくつかをグラフィックに自動的にリンクする前に前記リストを表示することを更に含む、請求項３１に記載のシステム。
【請求項３３】
ユーザ入力に対応する前記第１のプロセス制御画像イメージにおける前記プロセス制御アルゴリズム情報の少なくともいくつかに基づいて、前記リストを表示するリストフィルタを更に含む、請求項３２に記載のシステム。